(57)【要約】 【課題】本発明は、芯材の装脱着により折り畳み可能な容器に関する。【解決手段】この容器１は、上面２が開口状態で、底面を除く正面、裏面及び両側面を折り畳み可能な覆い体で構成され、正面、裏面及び両側面における各稜部に、芯材５を装脱着可能な封入袋３を取付けてなるものである。【選択図】図１
2009234594.tif 000002
【特許請求の範囲】
【請求項１】
上面が開口状態で、底面を除く正面、裏面及び両側面を折り畳み可能な覆い体で構成される箱状の折り畳み可能な容器であって、
前記正面、裏面及び両側面における各稜部に、芯材を装脱着可能な封入袋を取付けてあることを特徴とする折り畳み可能な容器。
【請求項２】
上面が開口状態で、底面を除く正面、裏面及び両側面を折り畳み可能な覆い体で構成される箱状の折り畳み可能な容器であって、
前記正面、裏面及び両側面における各稜部の隅部に、芯材を装脱着可能な封入袋を取付けてあることを特徴とする折り畳み可能な容器。
【請求項３】
請求項２に記載の折り畳み可能な容器であって、
封入袋をＴ字状に形成することを特徴とする折り畳み可能な容器。
【発明の詳細な説明】
【技術分野】
【０００１】
本発明は、芯材の装脱着により折り畳み可能な容器に関する。
【背景技術】
【０００２】
従来の折り畳み容器として、例えば、特開２００２−２９５３１号公報がある。この折り畳み可能な箱状の容器は、封入袋に芯材を挿入し、その封入袋を各稜部に縫合、又は熱溶着し、各隅部を曲折自在に形成してある。
そこで、この箱状の容器を、特許第２９６８１９３号に開示の「ひねり倒し」を実施することによって、ほぼ平面状に折り畳むことができる。
【０００３】
【特許文献１】特開２００２−２９５３１号公報
【発明の開示】
【発明が解決しようとする課題】
【０００４】
しかしながら、前記特開２００２−２９５３１号公報に開示の容器は、各隅部を曲折自在に形成すると共に、芯材を封入袋に挿入した状態で、それらの封入袋を各稜部に縫合、或いは熱溶着しなければならない。
この作業は手間暇がかかると共に、前記封入袋に挿入した芯材は、折り畳んだ状態と箱状にする使用過程において、封入袋から突出するという不都合が生じ、その都度、修理をする必要がある。
そこで、係る不都合をできるだけなくすために、新たな、折り畳み可能な容器を提供するものである。
【課題を解決するための手段】
【０００５】
本願発明の請求項１の折り畳み可能な容器は、上面が開口状態で、底面を除く正面、裏面及び両側面を折り畳み可能な覆い体で構成される箱状の折り畳み可能な容器である。
また、正面、裏面及び両側面における各稜部に、芯材を装脱着可能な封入袋を取付けてなるものである。
そして、芯材を封入袋から取り出した状態では、少なくとも底面を折り畳まなくても、正面、裏面及び両側面における覆い体を折り畳むことによって、平坦状にすることができる。尚、底面における覆い体を折り畳み可能な材質を選定すると、更に、底面を含めて、２つ折等に折り畳むことができる。
一方、各稜部に取り付けてある封入袋に芯材を挿入することによって、各稜部は直線状になって箱状にすることができる。
この様に、容器は、芯材の装脱着によって、折り畳まれた状態になったり、箱状にすることができる。
【０００６】
又、請求項２の折り畳み可能な容器は、上面が開口状態で、底面を除く正面、裏面及び両側面を折り畳み可能な覆い体で構成される箱状の折り畳み可能な容器である。また、正面、裏面及び両側面における各稜部の隅部に、芯材を装脱着可能な封入袋を取付けてある。
そして、芯材を封入袋から取り出した状態では、少なくとも底面を折り畳まなくても、正面、裏面及び両側面における覆い体を折り畳むことによって、平坦状にすることができる。尚、底面における覆い体を折り畳み可能な材質を選定すると、更に、底面を含めて、２つ折等に折り畳むことができる。
一方、各稜部の隅部に取り付けてある封入袋に芯材を挿入することによって、各稜部は直線状になって箱状にすることができる。
この様に、容器は、芯材の装脱着によって、折り畳まれた状態になったり、箱状にすることができる。
又、請求項３の容器における隅部に取付けの封入袋はＴ字状であるので、容易に取り付けることができる。
【発明の効果】
【０００７】
本願発明の折り畳み容器は、未使用時には、折り畳んだ状態で運搬することによって、荷台の容積が小さくなり、一方、使用時には芯材を封入袋に挿入することによって、箱状にすることができ、上部の開口から空容器等を投入することができる。
【発明を実施するための最良の形態】
【０００８】
本発明の実施の形態を図１を参照して説明する。
折り畳み可能な容器１は、例えば、上面２が開口であり、ペットボトル等の廃棄物を収集するのに使用するものである。そのために、未使用状態においては嵩張らないようにほぼ平面或いはロール状態にし、使用時には箱状にして廃棄物を収納可能にする。
【０００９】
そこで、容器１の正面、裏面左右側面及び底面は、覆い体（例えば、合成樹脂製のシート、合成樹脂製の網体、布等）で、箱状に縫合又はヒートシールで接合してある。
尚、この覆い体は、２つ折等に折り畳むことができる材質であるが、底面に使用する覆い体は必ずしも折り畳み可能である必要はない。
又、前記容器の各稜部（全部で１２箇所）の全長に渡って、芯材５を装脱着可能な封入袋３が、縫合又はヒートシールで接合してある。
この封入袋３は、合成樹脂製のシート材を後述の芯材５より僅かに大きな形状の筒体（円形の他、４角形でもよい）に形成し、端部が閉鎖（或いは開口状態であってもよい）してあり、他端部が開口してある。
従って、芯材５は開口部から挿入できるし、抜くことができる。
【００１０】
前記のように、各稜部に、封入袋３を縫合又は熱溶着してある容器において、芯材５を抜いた状態では、底面を除いて、折り畳んで、ほぼ平坦状或いはロール状にすることができる。尚、底面においても２つ折、或いはロール状等にする場合には、底面の覆い体に折り畳み可能な材質を選定する。
従って、この平坦状或いはロール状にした容器１は、廃棄物の収集場所等に搬送するに当たって、運搬車の荷台の容積が小さくて済むので経済性に富む。
一方、折り畳まれた容器１を使用するに当たって箱状にするときには、前記各封入袋３の開口から断面円形の他、３角、４角形等の細いＦＲＰポール等の芯材５を挿入することによって、各稜部は直線状態を維持する。
このため、容器は箱体になり、上部の開口２から廃棄物等を収納（投入）できる。
【００１１】
そして、廃棄物が収納された容器１は、収集場所から運搬車に積んで処理場に運ばれ、廃棄物を廃棄した後、容器の芯材５を封入袋３から抜くことによって、折り畳み可能な状態になる。
そのため、新たに、収集場所に、容器を搬送するに当たって、折り畳んだ状態で搬送でき、運搬車の荷台の容積が少なくて済み経済性に富む。
【００１２】
以上のように、本願の折り畳み可能な容器は、芯材５の装脱着によって、折り畳むことと、箱状にすることができるものである。又、この容器を製作するには、各稜部において、覆い体と封入袋を縫合或いは熱溶着等をすればよいので簡便である。
【００１３】
次に、図２に示す容器は、各稜部の全部に渡って取り付けてある封入袋に芯材５を挿入、脱抜する構成と異なり、各稜部の隅部にはＴ字状の封入袋２０が縫合或いは熱溶着で固定してある。
このＴ字状の封入袋２０は、３箇所の端部が開口して形成してあり、開口に対応する他端部が閉鎖状であり、Ｔ字状の封入袋２０の開口は他の隅部に取付けの封入袋２０の開口に向かって縫合或いは熱溶着で固定してある。即ち、開口と開口が向い合う状態で、Ｔ字状の封入袋２０が取り付けてある。
そして、芯材５の端部は、封入袋２０の開口に挿入できるし、封入袋２０の開口から抜くことができる。
【００１４】
そこで、この容器を使用するときには、各隅部におけるＴ字状の封入袋２０の開口と、対向するＴ字状の封入袋２０の開口に、芯材５の端部を挿入することによって、各稜部は直線状を維持し、箱状にすることができる。
一方、芯材５を封入袋２０の開口から抜くことによって、容器の覆い体（例えば、合成樹脂製のシート、合成樹脂製の網体、布等）であるので、２つ折り等に折り畳むことができるし、ロール状に巻くことができる。
以上のように、芯材５を挿入することによって箱状の容器にすることができ、芯材５を抜くことによって、折り畳むことができる。
尚、前記Ｔ字状の封入袋２０は、Ｔ字状に一体形成した１つの封入袋であると、容易に隅部に取り付けることができるが、この様にＴ字状に一体形成した１つの封入袋である必要はなく、各隅部において、他の隅部に向かって、単独の封入袋を３個、あるは、２個で、Ｔ字状に形成してもよい。
【００１５】
尚、本願発明において、底面を構成する各稜部の全部にわたって、或いは各稜部の隅部に取り付けてあるＴ字状の封入袋に挿入の芯材は、装脱着できない状態に形成してもよい。すなわち、底面は、常時、芯材５で４角状に形成してあっても、或いは、折り畳みできない板材等で構成しても、正面、裏面、側面における覆い体を折り畳むことによって平坦にすることができる。
しかし、底面においても折り畳み可能にするときには、底面の各稜部に取付けの芯材を抜くと共に、覆い体を折り畳み可能な材質を選定することはいうまでもない。
【図面の簡単な説明】
【００１６】
【図１】各稜部に封入袋を取り付けの容器の全体図である。
【図２】各隅部においてＴ字状の封入袋を取り付けの容器の全体図である。
【符号の説明】
【００１７】
１  容器
３  封入袋
５  芯材
２０  封入袋
【図１】
2009234594.tif 000003
【図２】
2009234594.tif 000004